(57)【要約】【課題】構成が単純で使い勝手に優れたレンズ装置および撮像装置を提供する。【解決手段】複数のレンズを含む光学系を保持するレンズ枠と、前記光学系の光軸に沿って前記レンズ枠を付勢する付勢部材と、前記付勢部材の付勢力によって前記レンズ枠に当接し、前記光軸のまわりに回動可能であり、該回動に伴う前記レンズ枠の当接位置の変化に応じて前記光学系の光軸方向における位置を変化させるレンズ枠駆動部材と、前記光軸と平行な中心軸のまわりに回動可能であり、該回動に伴って前記光学系の外部からの遮蔽および外部への露出を行うバリアと、前記レンズ枠駆動部材および前記バリアにそれぞれ係合され、前記光軸のまわりに回動可能であり、該回動によって前記レンズ枠駆動部材を前記光軸のまわりに回動させるとともに前記バリアを前記中心軸のまわりに回動させる操作部材と、を備える。【選択図】図３
2014059402.tif 000002
【特許請求の範囲】
【請求項１】
複数のレンズを含む光学系を保持するレンズ枠と、
前記光学系の光軸に沿って前記レンズ枠を付勢する付勢部材と、
前記付勢部材の付勢力によって前記レンズ枠に当接し、前記光軸のまわりに回動可能であり、該回動に伴う前記レンズ枠の当接位置の変化に応じて前記光学系の光軸方向における位置を変化させるレンズ枠駆動部材と、
前記光軸と平行な中心軸のまわりに回動可能であり、該回動に伴って前記光学系の外部からの遮蔽および外部への露出を行うバリアと、
前記レンズ枠駆動部材および前記バリアにそれぞれ係合され、前記光軸のまわりに回動可能であり、該回動によって前記レンズ枠駆動部材を前記光軸のまわりに回動させるとともに前記バリアを前記中心軸のまわりに回動させる操作部材と、
を備えたことを特徴とするレンズ装置。
【請求項２】
前記操作部材は、
前記バリアに係合して前記バリアの動きを規制する第１係合部材と、
前記レンズ枠駆動部材に係合して前記レンズ枠駆動部材の動きを規制する第２係合部材と、
を有することを特徴とする請求項１に記載のレンズ装置。
【請求項３】
前記バリアは、
厚さ方向に貫通して前記第１係合部材が係合し、前記操作部材の前記回動に伴って前記光学系を外部から遮蔽する閉状態から前記光学系を外部へ露出する開状態に達するまで前記第１係合部材が係合する開閉駆動用カム溝と、該開閉駆動用カム溝に連通し、前記開状態において前記第１係合部材により当該バリアを開く方向の力が加えられる開状態用カム溝とからなるカム溝が形成されていることを特徴とする請求項２に記載のレンズ装置。
【請求項４】
前記レンズ枠は、
前記光軸方向と平行な方向に前記レンズ枠駆動部材へ向けて突出した突起部を有し、
前記レンズ枠駆動部材は、
前記突起部の先端に当接し、前記光軸を中心とする回転に応じて前記突起部との前記光軸方向における当接位置が変化するカム面を有することを特徴とする請求項１〜３のいずれか一項に記載のレンズ装置。
【請求項５】
前記操作部材に対して前記光軸方向に沿って進退可能に当接するクリック部材を備え、
前記操作部材は、
前記光軸を中心とする回転に伴う前記クリック部材の通路をなすとともに該通路の所定位置に前記クリック部材の先端部が没入するクリック溝が形成されたガイド部を有することを特徴とする請求項１〜４のいずれか一項に記載のレンズ装置。
【請求項６】
前記ガイド部は、
前記バリアが閉じた状態およびパンフォーカス状態にそれぞれ対応する位置に前記クリック溝が形成されたことを特徴とする請求項５に記載のレンズ装置。
【請求項７】
請求項１〜６のいずれか一項に記載のレンズ装置を備えたことを特徴とする撮像装置。
【発明の詳細な説明】
【技術分野】
【０００１】
本発明は、複数のレンズを含む光学系を有するレンズ装置および該レンズ装置を備えた撮像装置に関する。
【背景技術】
【０００２】
従来、デジタルカメラ等の撮像装置においては、小型化および操作性の向上を目的として、手動操作が可能な１つの操作スイッチにより、画像再生モード、電源オン＆レンズバリア開モード、電源オフモード、ズーム位置操作モード等のモードを切り替える技術が開示されている（例えば、特許文献１を参照）。この技術では、円筒カムを用いることにより、操作スイッチの位置に対応するモードの駆動手段に対してのみ、操作スイッチに加わる外力を伝達している。
【先行技術文献】
【特許文献】
【０００３】
【特許文献１】特開２００４−２４６１１６号公報
【発明の概要】
【発明が解決しようとする課題】
【０００４】
しかしながら、上述した従来技術では、モードを切り替えるたびに外力を伝達すべき駆動手段が変わるため、構成が複雑にならざるを得なかった。また、モード自体が多岐にわたっており、１つの操作スイッチの操作だけでは必ずしも使い勝手がよいとはいえなかった。
【０００５】
本発明は、上記に鑑みてなされたものであって、構成が単純で使い勝手に優れたレンズ装置および撮像装置を提供することを目的とする。
【課題を解決するための手段】
【０００６】
上述した課題を解決し、目的を達成するために、本発明に係るレンズ装置は、複数のレンズを含む光学系を保持するレンズ枠と、前記光学系の光軸に沿って前記レンズ枠を付勢する付勢部材と、前記付勢部材の付勢力によって前記レンズ枠に当接し、前記光軸のまわりに回動可能であり、該回動に伴う前記レンズ枠の当接位置の変化に応じて前記光学系の光軸方向における位置を変化させるレンズ枠駆動部材と、前記光軸と平行な中心軸のまわりに回動可能であり、該回動に伴って前記光学系の外部からの遮蔽および外部への露出を行うバリアと、前記レンズ枠駆動部材および前記バリアにそれぞれ係合され、前記光軸のまわりに回動可能であり、該回動によって前記レンズ枠駆動部材を前記光軸のまわりに回動させるとともに前記バリアを前記中心軸のまわりに回動させる操作部材と、を備えたことを特徴とする。
【０００７】
本発明に係るレンズ装置は、上記発明において、前記操作部材は、前記バリアに係合して前記バリアの動きを規制する第１係合部材と、前記レンズ枠駆動部材に係合して前記レンズ枠駆動部材の動きを規制する第２係合部材と、を有することを特徴とする。
【０００８】
本発明に係るレンズ装置は、上記発明において、前記バリアは、厚さ方向に貫通して前記第１係合部材が係合し、前記操作部材の前記回動に伴って前記光学系を外部から遮蔽する閉状態から前記光学系を外部へ露出する開状態に達するまで前記第１係合部材が係合する開閉駆動用カム溝と、該開閉駆動用カム溝に連通し、前記開状態において前記第１係合部材により当該バリアを開く方向の力が加えられる開状態用カム溝とからなるカム溝が形成されていることを特徴とする。
【０００９】
本発明に係るレンズ装置は、上記発明において、前記レンズ枠は、前記光軸方向と平行な方向に前記レンズ枠駆動部材へ向けて突出した突起部を有し、前記レンズ枠駆動部材は、前記突起部の先端に当接し、前記光軸を中心とする回転に応じて前記突起部との前記光軸方向における当接位置が変化するカム面を有することを特徴とする。
【００１０】
本発明に係るレンズ装置は、上記発明において、前記操作部材に対して前記光軸方向に沿って進退可能に当接するクリック部材を備え、前記操作部材は、前記光軸を中心とする回転に伴う前記クリック部材の通路をなすとともに該通路の所定位置に前記クリック部材の先端部が没入するクリック溝が形成されたガイド部を有することを特徴とする。
【００１１】
本発明に係るレンズ装置は、上記発明において、前記ガイド部は、前記バリアが閉じた状態およびパンフォーカス状態にそれぞれ対応する位置に前記クリック溝が形成されたことを特徴とする。
【００１２】
本発明に係る撮像装置は、上記いずれかの発明に記載したレンズ装置を備えたことを特徴とする。
【発明の効果】
【００１３】
本発明によれば、操作部材によってレンズ枠駆動部材とバリアとを連動させて回動させることにより、バリアとレンズ枠の駆動を行っているため、駆動手段を複数設ける必要がない。したがって、構成が単純で使い勝手に優れたレンズ装置および撮像装置を提供することができる。
【図面の簡単な説明】
【００１４】
【図１】図１は、本発明の一実施の形態に係るレンズ装置を備えた撮像装置の外観構成を示す斜視図である。
【図２】図２は、本発明の一実施の形態に係るレンズ装置の構成を示す断面図である。
【図３】図３は、本発明の一実施の形態に係るレンズ装置の構成を示す分解斜視図である。
【図４】図４は、本発明の一実施の形態に係るレンズ装置が備えるレンズ枠の前面側の構成を示す平面図である。
【図５】図５は、本発明の一実施の形態に係るレンズ装置が備えるカム枠に形成されるカム面の構成例を示す図である。
【図６】図６は、本発明の一実施の形態に係るレンズ装置が備える外カバーの前面側の構成を示す斜視図である。
【図７】図７は、本発明の一実施の形態に係るレンズ装置が備える操作部材のガイド部の形状を本体部の周回方向に沿って見た模式図である。
【図８】図８は、バリアが閉じた状態におけるカム枠、バリアおよび操作部材を背面側から見た図である。
【図９】図９は、バリアが開いた状態であってパンフォーカス位置にある状態におけるカム枠、バリアおよび操作部材を背面側から見た図である。
【図１０】図１０は、バリアが開いた状態であってクリックボールがガイド部の端部に到達した状態におけるカム枠、バリアおよび操作部材を背面側から見た図である。
【発明を実施するための形態】
【００１５】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００１６】
図１は、本発明の一実施の形態に係る撮像装置の外観構成を示す斜視図である。同図に示す撮像装置１は、ＣＣＤ（Charge  Coupled  Device）またはＣＭＯＳ（Complementary  Metal  Oxide  Semiconductor）等の撮像素子およびＣＰＵ（Central  Processing  Unit）を含む各種機能部材を収容するとともに、電源スイッチやレリーズスイッチ等を含む各種スイッチ、補助光照射部、および液晶等からなる表示パネルをそれぞれ表出させる複数の開口が形成された本体部２と、本体部２の前面側（被写体と対向する側）に形成された開口から表出するレンズ装置３とを備える。撮像装置１はデジタルカメラであり、レンズ装置３に設けられる光学系が集光した被写体像を光電変換した後、所定の信号処理を施すことによって画像データを生成する。
【００１７】
図２は、レンズ装置３の構成を示す断面図（図１のＡ−Ａ線断面図）である。図３は、レンズ装置３の構成を示す分解斜視図であって、撮像装置１の背面側（撮影者と対向する側）から見た分解斜視図である。以下、図２および図３を参照して、レンズ装置３の詳細な構成を説明する。
【００１８】
レンズ装置３は、マウント４、カバーカン５、後カバー６、レンズ枠バネ７、レンズ枠８、カム枠９、外カバー１０、バリア１１、操作部材１２、クリック部材１３、および前カバー１４を備える。
【００１９】
レンズ装置３は、中空部を有し撮像装置１の本体部に固定されるマウント４をベースとして各種部材が組み付けられて成る。マウント４の中空部には、中空円筒状をなすカバーカン５が嵌入される。また、カバーカン５の中空部には、後カバー６の一部（後述する収容部６１）が嵌入される。
【００２０】
後カバー６は、頂きが平らでつばのついた帽子状をなしている。具体的には、後カバー６は、帽子の山に相当し、平面をなす頂き部分に開口部が形成されてカバーカン５の中空部に嵌入されるとともに、その山の内面側に、レンズ枠バネ７、レンズ枠８およびカム枠９を背面側から前面側へ向けて順に重ねた状態で収容する収容部６１と、帽子のつばに相当し、収容部６１が形成された側の主面がマウント４と対向して配置されるフランジ部６２とを有する。フランジ部６２には、クリック部材１３の端部を保持する保持部６３が形成されている。
【００２１】
レンズ枠バネ７はコイルバネである。レンズ枠バネ７は、レンズ枠８に当接してレンズ枠８を前面側へ付勢する付勢部材としての機能を有する。
【００２２】
レンズ枠８は、光学系８０を構成する３枚のレンズ８１、８２、８３を保持する。光学系８０は、両凸レンズである第１群レンズ８１、両凹レンズである第２群レンズ８２および両凸レンズである第３群レンズ８３からなる３群構成を有するトリプレットレンズである。レンズ枠８の前面には、光学系の光軸方向と平行な方向にボス状に突起し、その先端がカム枠９に当接する複数の突起部８４がレンズ枠８の外周に沿って均等に設けられている。図４は、レンズ枠８の前面側の構成を示す平面図である。同図に示すレンズ枠８は、前面側の表面に突起部８４を３個有する。突起部８４の先端部であって後述するカム枠９のカム面９１に当接する先端部は、Ｒ形状をなしている。
【００２３】
カム枠９は、レンズ枠バネ７の付勢力によってレンズ枠８に当接し、光軸Ｏのまわりに回動可能であり、該回動に伴うレンズ枠８の当接位置の変化に応じて光学系８０の光軸方向における位置を変化させるレンズ枠駆動部材である。カム枠９は、レンズ枠８が有する突起部８４の先端が当接するカム面９１を有する。図５は、カム面９１の構成例を示す図である。図５では、周回方向に沿ってカム枠９を展開して平面状にしたときのカム面９１の一部を外周方向から見た状態を示している。図５において、光学系８０の光軸方向は図の左右方向と一致しており、左が前面側、右が背面側である。また、図５において、カム枠９の周回方向は、図の上下方向と一致している。
【００２４】
カム面９１は、５つの異なる部分カム面（第１カム面９２、第２カム面９３、第３カム面９４、第４カム面９４および第５カム面９６）が組み合わさってなる。
第１カム面９２は、光軸方向の位置が最も背面側に位置しており、光軸方向と直交する平面である。
第２カム面９３は、第１カム面９２との境界から第３カム面９４との境界に向けて光軸方向に沿って前面側へ向けて傾斜している。
第３カム面９４は、光軸方向と直交する平面である。
第４カム面９５は、第３カム面９４との境界から第５カム面９６との境界に向けて光軸方向に沿って前面側へ向けて傾斜している。
第５カム面９６は、光軸方向の位置が最も前面側に位置しており、光軸方向と直交する平面である。
【００２５】
カム面９１は、第１カム面９２〜第５カム面９６の組み合わせが複数回繰り返して周回している。この繰り返しの数は、レンズ枠８の突起部８４の数に対応している。したがって、図４に示すレンズ枠８の場合、繰り返しの数は３である。
【００２６】
カム枠９の前面側の表面には、後述する操作部材１２のカム枠駆動ボス１２５が当接して係合する穴部が形成されている（図示せず）。
【００２７】
カム枠９の前面側には、円盤状の外カバー１０が設けられる。外カバー１０の中央部には、背面側へ向けてスリーブ状に延出する延出部１０１が形成されている。延出部１０１は、その内部にレンズ枠バネ７、レンズ枠８およびカム枠９を収容可能である。また、延出部１０１は、後カバー６の収容部６１の内側に挿入することができる。
【００２８】
外カバー１０には、後述するクリック部材１３のクリックバネ１３２が挿通される挿通孔１０２も形成されている。
【００２９】
図６は、外カバー１０の前面側の構成を示す斜視図である。外カバー１０の前面側の表面には、操作部材１２の回転を規制するために、操作部材１２に設けられる突出部１２６（後述）が当接して突出部１２６の移動範囲を規制する溝部１０３が形成されている。溝部１０３の端部１０４は、操作部材１２が初期位置から最も移動した状態で突出部１２６が到達する位置である。
【００３０】
外カバー１０は、後カバー６との間でレンズ枠バネ７、レンズ枠８およびカム枠９を狭持し、マウント４にネジ止めされる。このようにして外カバー１０と後カバー６とによってレンズ枠バネ７、レンズ枠８およびカム枠９が挟持された状態で、レンズ枠バネ７は、レンズ枠８を前面側へ向けて付勢し、レンズ枠８とカム枠９とを常に当接させる。
【００３１】
外カバー１０の前面側には、板状をなして光学系８０の光軸方向と平行な軸のまわりを回動可能であり、この回動に伴って光学系８０の外部への露出および外部からの遮蔽を行うバリア１１が設けられる。バリア１１には、板厚方向に貫通されて延びるカム溝１１１、およびバリア１１が開閉動作を行う際の回転中心をなす軸部材が挿通される挿通孔１１２が形成されている。
【００３２】
カム溝１１１には、後述する操作部材１２のバリア駆動ボス１２４が挿通して係合する。カム溝１１１は、バリア駆動ボス１２４の係合位置に応じて異なる機能を有する２種類の溝がつながって１つの溝を形成している。具体的には、カム溝１１１は、バリア１１を閉状態と開状態との間で駆動させる開閉駆動用カム溝１１１ａと、開状態にあるバリア１１が閉じないようバリア駆動ボス１２４によってバリア１１の開方向への微小な力が加えられる開状態用カム溝１１１ｂとからなる。カム溝１１１は、開閉駆動用カム溝１１１ａと開状態用カム溝１１１ｂとの境界を頂点として略Ｖ字状をなす。
【００３３】
挿通孔１１２に挿通される軸部材は、両端部が外カバー１０と前カバー１４にそれぞれ取り付けられて固定される（図示せず）。
【００３４】
バリア１１の前面側には、ユーザによってカム枠９およびバリア１１を駆動するための外力が加えられる操作部材１２が設けられる。操作部材１２は、カム枠９およびバリア１１にそれぞれ係合され、光学系８０の光軸Ｏのまわりに回動可能であり、該回動によってカム枠９を光軸Ｏのまわりに回動させるとともにバリア１１を所定の中心軸であって光軸Ｏと平行な中心軸のまわりに回動させる。操作部材１２は、中空円盤状をなし、光学系８０の光軸Ｏのまわりに回動可能な中空円盤状の本体部１２１と、本体部１２１の外周部の一部に設けられ、クリック部材１３が当接して移動するためのガイドをなすガイド部１２２と、ガイド部１２２から外周側に帯状をなして突起し、ユーザの操作によってカム枠９およびバリア１１を駆動するための外力を受ける操作レバー１２３とを有する。ユーザは、操作レバー１２３を手動で操作して光軸Ｏのまわりに回動させることにより、操作部材１２を操作する。
【００３５】
本体部１２１は、背面側へ向けて突起し、バリア１１のカム溝１１１に係合してバリア１１を回転駆動するとともにバリア１１の動きを規制するバリア駆動ボス１２４（第１係合部材）と、背面側へ向けて突起し、カム枠９に係合してカム枠９を回転駆動するとともにカム枠９の動きを規制するカム枠駆動ボス１２５（第２係合部材）と、背面側の突出して外カバー１０の溝部１０３に当接する突出部１２６とを有する。
【００３６】
図７は、ガイド部１２２の形状を本体部１２１の周回方向に沿って見た模式図である。図７において、上側が背面側に対応し、下側が前面側に対応している。また、図７において、左右方向が本体部１２１の周回方向と一致している。ガイド部１２２には、２箇所のクリック溝１２７、１２８が形成されている。クリック溝１２７は、バリア１１が閉じた状態でクリックボール１３１が没入する位置に形成される。一方、クリック溝１２８は、バリア１１が開いた状態であって光学系８０の被写界深度が深いパンフォーカス状態でクリックボール１３１が没入する位置に形成される。クリック溝１２８は、クリック溝１２７よりも前面側に位置している。
【００３７】
ガイド部１２２には、クリック部材１３が背面側から当接している。クリック部材１３は、ガイド部１２２に当接するクリックボール１３１と、クリックボール１３１をガイド部１２２へ向けて付勢するクリックバネ１３２とを有する。クリックバネ１３２の背面側の端部は、外カバー１０を貫通して後カバー６の保持部６３に圧入されている。ガイド部１２２の周回方向の両端部には、背面側に突出してクリックボール１３１に当接可能であり、クリックボール１３１に当接することによって操作部材１２の回転を規制する側壁１２２ａ、１２２ｂがそれぞれ設けられている。
【００３８】
操作部材１２の前面側には、中空円盤状をなす前カバー１４が設けられる。前カバー１４は、バリア１１および操作部材１２を保護する機能も兼ね備えている。
【００３９】
レンズ装置３において、マウント４、カバーカン５、後カバー６、カム枠９、外カバー１０、操作部材１２および前カバー１４がぞれぞれ有する中空部は、光学系８０の光軸Ｏが通過するように配置されている。これにより、レンズ装置３は、光学系８０が被写体からの光を集光し、この集光した光を後段の本体部２に設けられる撮像素子に対して伝達することができる。
【００４０】
また、レンズ装置３において、レンズ枠バネ７の付勢力は、レンズ枠８からカム枠９を介してカム枠９と外カバー１０との間の摩擦力を生じさせる。ここで、カム枠９にはカム枠駆動ボス１２５が当接しているため、操作部材１２はレンズ枠バネ７による付勢力を間接的に受けることとなる。
【００４１】
また、レンズ装置３において、バリア１１は、操作部材１２のバリア駆動ボス１２４に係合しているため、上述した摩擦力を介して回動が抑制される。換言すると、バリア１１は、レンズ枠バネ７の付勢力によって間接的に回動が抑制される。
【００４２】
図８は、以上の構成を有するレンズ装置３において、バリア１１が閉じた状態にある場合のカム枠９、バリア１１および操作部材１２を背面側から見た図である。図８において、バリア駆動ボス１２４は、開閉駆動用カム溝１１１ａの端部に係合している。また、クリックボール１３１は、クリック溝１２７に没入した状態にある（図中×印）。図８に示す状態で、レンズ枠８の突起部８４は、第１カム面９２の端部（図５の位置Ａ）に当接している。
【００４３】
この後、ユーザが操作レバー１２３を図８の時計まわりに回転させると、バリア１１が徐々に開いていき、やがてバリア１１が開いた状態となる。図９は、バリア１１が開いた状態にある場合のカム枠９、バリア１１および操作部材１２を背面側から見た図である。図９に示す破線は、図８に示す状態でのバリア１１および操作レバー１２３の位置を示している。操作部材１２の回転に伴って、バリア駆動ボス１２４は、バリア１１のカム溝１１１に沿って移動する。この移動に伴って、バリア１１は挿通孔１１２の中心軸のまわりに回動する。
【００４４】
図９において、バリア駆動ボス１２４は、開閉駆動用カム溝１１１ａと開状態用カム溝１１１ｂとの境界部で係合している。図９におけるクリックボール１３１の当接位置は、図７の位置Ｆに対応している。また、図９に示す状態で、突起部８４は、第１カム面９２と第２カム面９３との境界部（図５の位置Ｂ）に当接している。カム枠９は、図８に示す状態から図９に示す状態に達するまでの間に、カム枠駆動ボス１２５の当接位置が位置Ａから位置Ｂへと変化するように回動する。
【００４５】
続いて、ユーザが図９に示す状態からさらに操作レバー１２３を図９の時計まわりに回動する場合を説明する。この場合、クリックボール１３１は、図７に示す位置Ｆからガイド部１２２に沿って前面側へ飛び出して図７に示す位置Ｇへ到達する。この際、カム枠９は、第２カム面９３において突起部８４に当接しながら回転する。クリックボール１３１が図７の位置Ｇに達した状態で、突起部８４は、第２カム面９３と第３カム面９４との境界部（図５の位置Ｃ）でカム枠９に当接する。この状態すなわちクリックボール１３１が図７の位置Ｇに達した状態は、焦点距離が無限遠の状態に対応している。
【００４６】
この後、ユーザがさらに操作レバー１２３を図９の時計まわりに回動すると、カム枠９は、突起部８４と第３カム面９３で当接しながら光軸Ｏのまわりに回動し、焦点距離は徐々に小さくなっていく。回動を続けていくと、クリックボール１３１はクリック溝１２７に到達して没入する。クリックボール１３１がクリック溝１２７に没入した状態で、突起部８４は、第３カム面９４と第４カム面９５との境界部（図５の位置Ｄ）に当接する。この状態すなわちクリックボール１３１がクリック溝１２７に没入した状態は、パンフォーカス状態に対応するように設定される。この場合、ユーザは、クリックボール１３１がクリック溝１２７に没入したときに得られるクリック感によって撮像装置１がパンフォーカス状態にあることを明確に認識することができる。
【００４７】
ユーザがパンフォーカス状態から操作レバー１２３をさらに図９の時計まわりに回転させると、焦点距離は再び徐々に小さくなっていき、クリックボール１３１がガイド部１２２の端部（図７の位置Ｈ）に到達する。この状態は、焦点距離が至近の状態に対応している。パンフォーカス状態から至近状態へ変化する間に、カム枠９は、突起部８４の当接位置が図５の位置Ｄから位置Ｅに変化するように回転する。したがって、この間にレンズ枠８は、より前面側へ移動することとなる。
【００４８】
図１０は、クリックボール１３１がガイド部１２２の端部に位置する場合のカム枠９、バリア１１および操作部材１２を背面側から見た図である。図１０に示す破線は、図９に示す状態における操作レバー１２３の位置を示している。図１０において、バリア駆動ボス１２４は、開状態用カム溝１１１ｂの端部に係合している。また、図１０に示す状態で、突起部８４は、第４カム面９５と第５カム面９６との境界に当接している（図５の位置Ｅ）。クリックボール１３１は、図７の位置Ｈにおいて側壁１２２ｂに当接している。このとき、突出部１２６は、外カバー１０の溝部１０３の端部１０４に達して溝部１０３の側壁に当接している。したがって、図１０に示す状態では、ユーザが操作レバー１２３を操作して図１０の時計まわりに回転させようとしても、これ以上回転させることはできない。換言すると、図７の位置Ｈにクリックボール１３１が位置している状態において、ユーザは、図１０の反時計まわりの方向にしか操作レバー１２３を回動させることができない。なお、図１０に示す状態において、クリックボール１３１が側壁１２２ｂに当接するか、突出部１２６が外カバー１０の溝部１０３の端部１０４の側壁に当接するかのいずれか一方のみを満たすような構成とすることも可能である。
【００４９】
図９に示す状態から図１０に示す状態に達するまで、バリア駆動ボス１２４は、開状態用カム溝１１１ｂに係合しながら、開状態を維持するためにバリア１１がさらに開く方向へ微小に回転しようとする力を加え続ける。この間、バリア１１は回動しない。
【００５０】
なお、第５カム面９６は、カム面９１を周回させるために設けたものである。したがって、操作レバー１２３の可動範囲（図８〜図１０の範囲）では、突起部８４が第５カム面９６に当接しながら移動することはない。
【００５１】
図９に示す状態と図１０に示す状態の間で、ユーザは操作レバー１２３によって図９等の時計まわりにも反時計まわりにも回転させることができることはいうまでもない。これにより、ユーザは、操作レバー１２３を用いて焦点位置の手動による調整を容易に行うことが可能となる。
【００５２】
以上説明した本発明の一実施の形態によれば、操作部材によってレンズ枠駆動部材とバリアとを連動させて回動させることにより、バリアとレンズ枠の駆動を行っているため、駆動手段を複数設ける必要がなく、モードも限られている。したがって、構成が単純で使い勝手に優れたレンズ装置および撮像装置を提供することができる。
【００５３】
ここまで、本発明を実施するための形態を説明してきたが、本発明は、上述した実施の形態によってのみ限定されるべきものではない。例えば、本発明において、レンズ装置は撮像装置の本体部に対して着脱可能な構成とすることも可能である。
【００５４】
また、本発明において、レンズ装置が備える光学系の構成は、上述したトリプレットレンズに限られるわけではない。
【００５５】
このように、本発明は、特許請求の範囲に記載した技術的思想を逸脱しない範囲内において、さまざまな実施の形態等を含みうるものである。
【符号の説明】
【００５６】
１  撮像装置
２、１２１  本体部
３  レンズ装置
４  マウント
５  カバーカン
６  後カバー
７  レンズ枠バネ
８  レンズ枠
９  カム枠
１０  外カバー
１１  バリア
１２  操作部材
１３  クリック部材
１４  前カバー
８０  光学系
８１  第１群レンズ
８２  第２群レンズ
８３  第３群レンズ
８４  突起部
９１  カム面
１１１  カム溝
１１１ａ  開閉駆動用カム溝
１１１ｂ  開状態用カム溝
１２２  ガイド部
１２３  操作レバー
１２４  バリア駆動ボス
１２５  カム枠駆動ボス
１２７、１２８  クリック溝
１３１  クリックボール
１３２  クリックバネ
【図１】
2014059402.tif 000003
【図２】
2014059402.tif 000004
【図３】
2014059402.tif 000005
【図４】
2014059402.tif 000006
【図５】
2014059402.tif 000007
【図６】
2014059402.tif 000008
【図７】
2014059402.tif 000009
【図８】
2014059402.tif 000010
【図９】
2014059402.tif 000011
【図１０】
2014059402.tif 000012